(57)【要約】【課題】主として遊技場に設置される椅子であって、強度，耐久性等を損なうことなく、座部を支持するポールをフロアから簡単に着脱可能なるようにし、椅子の付け替え工事等を容易にする。【解決手段】フロアに固定される基板３上に内径が上方に向かいテーパ状に拡径した小高さの筒状受体５を固着し、座部１を支持する円筒状のポール２の下端部６寄りに係合軸８を直交状に貫挿するとともに該係合軸を該ポールの両側面から僅かに突出させ、該ポールの下端部を前記筒状受体に嵌合することにより該ポールを垂直に樹立したとき前記係合軸の突出部８ａ，８ａを該筒状受体の上端開口縁から少しの隙間ｇを隔てて位置させるようにした。【選択図】  図３
2004305513.tif 000002
【特許請求の範囲】
【請求項１】
フロアに固定される基板上に内径が上方に向かいテーパ状に拡径した小高さの筒状受体を固着し、座部を支持する円筒状のポールの下端部寄りの両側面に突出部を設け、該ポールの下端部を前記筒状受体に嵌合することにより該ポールを垂直に樹立したとき前記突出部を該筒状受体の上端開口縁から少しの隙間を隔てて位置させるようにしたことを特徴とする椅子のポール樹立構造。
【請求項２】
フロアに固定される基板上に内径が上方に向かいテーパ状に拡径した小高さの筒状受体を固着し、座部を支持する円筒状のポールの下端部寄りに係合軸を直交状に貫挿するとともに該係合軸を該ポールの両側面から僅かに突出させ、該ポールの下端部を前記筒状受体に嵌合することにより該ポールを垂直に樹立したとき前記係合軸の突出部を該筒状受体の上端開口縁から少しの隙間を隔てて位置させるようにしたことを特徴とする椅子のポール樹立構造。
【請求項３】
フロアに固定される基板上に内径が上方に向かいテーパ状に拡径した小高さの筒状受体を固着し、座部を支持する円筒状のポールの下端部を前記筒状受体に嵌合することにより該ポールを垂直に樹立したとき該筒状受体の上端開口縁から少しの隙間を隔てて位置するように該ポールの下端部寄りの両側面に透孔を形成し、該透孔に係合軸を貫挿し得るようにしたことを特徴とする椅子のポール樹立構造。
【発明の詳細な説明】
【０００１】
【発明の属する技術分野】
本発明は主として遊技場に設置される椅子のポールを着脱可能に樹立する構造に関するものである。
【０００２】
【従来の技術】
【特許文献１】
米国特許第４８４０３４３号公報
【特許文献２】
実開平６−４６５４４号公報
【０００３】
一般にパチンコ遊技場に設けられる椅子は、座部を支持するポール（支柱）をフロアに樹立してなるもので、該ポールはフロアにアンカーで固定した基板上に溶接されていた。このため、店内模様替え等のためにポールを取り外そうとすると工事が容易ではないという問題があった。
【０００４】
また上記特許文献１に示された椅子は、遊技機の前面下縁部に沿って配設されたチャンネル部材にポールを支持するフラットバー状の基板の先端を着脱自在に係合させてなり、椅子の移設を容易にするものであったが、上記基板が横断状に延びフロアが凹凸状になるので、足をつまずき易いという欠点がある。
【０００５】
また上記特許文献２に示された椅子では、基板上にテーパ状の受皿を設け、ポールの下部を該受皿に嵌合させるとともに、該受皿に横孔を開設し、バール状の工具を該横孔から挿入することで、取り外しを容易にしようとするものであった。しかし同文献に示された構造では、上記横孔のために受皿の強度が損なわれるとともに、掃除の水等が該横孔から受皿内に流れ込んで錆び易くなり耐久性が損なわれるという問題、および、ポールの下端にも工具を係合させる隙間を形成しなければならないので支持が浅く不安定になるおそれがあるという問題があった。
【０００６】
【発明が解決しようとする課題】
そこで本発明は、上記のような問題点を生じさせることなくポールを容易に着脱可能とする椅子のポール樹立構造を提供し、その付け替え工事等を容易にしようとするものである。
【０００７】
【課題を解決するための手段】
そのために本発明に係る椅子のポール樹立構造は、フロアに固定される基板上に内径が上方に向かいテーパ状に拡径した小高さの筒状受体を固着し、座部を支持する円筒状のポールの下端部寄りの両側面に突出部を設け、該ポールの下端部を前記筒状受体に嵌合することにより該ポールを垂直に樹立したとき前記突出部を該筒状受体の上端開口縁から少しの隙間を隔てて位置させるようにしたことを特徴とする。
また本発明に係る椅子のポール樹立構造は、フロアに固定される基板上に内径が上方に向かいテーパ状に拡径した小高さの筒状受体を固着し、座部を支持する円筒状のポールの下端部寄りに係合軸を直交状に貫挿するとともに該係合軸を該ポールの両側面から僅かに突出させ、該ポールの下端部を前記筒状受体に嵌合することにより該ポールを垂直に樹立したとき前記係合軸の突出部を該筒状受体の上端開口縁から少しの隙間を隔てて位置させるようにしたことを特徴とする。
また本発明に係る椅子のポール樹立構造は、フロアに固定される基板上に内径が上方に向かいテーパ状に拡径した小高さの筒状受体を固着し、座部を支持する円筒状のポールの下端部を前記筒状受体に嵌合することにより該ポールを垂直に樹立したとき該筒状受体の上端開口縁から少しの隙間を隔てて位置するように該ポールの下端部寄りの両側面に透孔を形成し、該透孔に係合軸を貫挿し得るようにしたことを特徴とする。
【０００８】
【発明の実施の形態】
次に本発明の実施の形態を図面に従い説明する。図１はこの椅子の斜視図で、１は座部、２は該座部を支持する円筒状のポールである。なお、座部１は該ポール上に水平面内で回転自在でかつ前後方向に進退自在なるように支持されたものである。
【０００９】
図２，図３に上記ポール２の下部を断面図により示す。同図中、３はフロアにアンカー４により固定される円形の基板、５は該基板上に溶接により固着された小高さの筒状受体で、該筒状受体は内径が上方に向かいテーパ状に拡径して形成され、該筒状受体内にポール２の下端部６を嵌合することにより該ポールが垂直に樹立される。
【００１０】
しかして、ポール２の下端部寄りの両側面に透孔７を形成し、該透孔に丸棒からなる係合軸８を貫挿して溶接または圧入等により固定し、該係合軸を該ポールの両側面から僅かに突出させ、その突出部８ａ，８ａが該ポール２を垂直に樹立したとき筒状受体５の上端開口縁から少しの隙間ｇを隔てて位置するように構成する。
【００１１】
このように構成したポール樹立構造では、ポール２を筒状受体５から取り外すに際し、図４に示したような先端部が二股状に分かれたクサビ９を図５に示したように筒状受体５の上端開口縁と突出部８ａ，８ａとの間に挟入させる。これにより隙間ｇが広がりポール２が上に持ち上げられ、ポール２下端部が筒状受体５の内面にたとえ強固に嵌合していたとしても簡単に取り外すことができる。
そして、嵌合状態ではポール２は筒状受体５によって安定して支持されるとともに、掃除の水等が該筒状受体内に侵入するおそれがないことから、椅子として必要な強度，耐久性を得ることができる。
【００１２】
なおこの実施形態ではポール２に丸棒状の係合軸８を直交状に貫挿することによって突出部８ａ，８ａを形成したが、ポールの両側面にリベットを固着することで同様の突出部を形成したり、或いはポールに直接バーリング又は潰し等の加工をすることで突出部を形成することも可能である。また、ポールの外周にリング状の金具を溶接等により固着することにより突出部を形成することも可能である。
【００１３】
また、ポールの下端部寄りの両側面に透孔を予め形成しておき、ポールを取り外そうとするときにその透孔に上記係合軸のようなものを貫挿できるようにすることも可能である。
【００１４】
【発明の効果】
このように本発明に係る椅子のポール樹立構造によれば、筒状受体の上端開口縁から少しの隙間を隔てて位置するようにポールの下端部寄りの両側面に突出部を設け、或いは、こうした突出部が設けられるようにポールの下端部寄りの両側面に透孔を形成することにより、筒状受体の強度，耐久性等を損なうことなく、ポールを簡単に着脱可能にでき、椅子の付け替え工事等を容易にできる効果がある。
【図面の簡単な説明】
【図１】本発明の実施形態を示す椅子の斜視図。
【図２】図１の椅子の下部の縦断面図。
【図３】図２のＡ−Ａ線断面図。
【図４】二股状クサビの斜視図。
【図５】図１の椅子の取り外し時の縦断面図。
【符号の説明】
１          座部
２          ポール
３          基板
５          筒状受体
６          下端部
７          透孔
８          係合軸
８ａ，８ａ  突出部
９          二股状クサビ
ｇ          隙間
【図１】
2004305513.tif 000003
【図２】
2004305513.tif 000004
【図３】
2004305513.tif 000005
【図４】
2004305513.tif 000006
【図５】
2004305513.tif 000007